(57)【要約】【課題】球タンクとの間に整列路を設ける必要が無い上に、球を払出す時に駆動手段にかかる負荷の低減を図る。【解決手段】球を貯留する貯留部１と、球を１列に収容可能な収容孔１１ａと、該収容孔１１ａの下部と連通する空洞部１１ｂとを備え、前期貯留部に保持された球収容体１１と、前記球収容体１１の下端に回動可能に支持し、前記収容孔１１ａと連通する払出口６ａを形成した払出プレート６と、前記払出プレート６に固定され、該プレート６の回動に伴って、前記空洞部１１ｂ内を移動して前記収容孔１１ａ内の１段目の球を、前記払出口６ａに導入するセパレータ７と、を備えた。【選択図】図３
2005342001.tif 000002
【特許請求の範囲】
【請求項１】
球を貯留する貯留部と、
球を１列に収容可能な収容孔と、該収容孔を連通する空洞部とを備え、前記貯留部に保持された球収容体と、
前記球収容体の下端に回動可能に支持し、前記収容孔と連通する払出口を形成した払出プレートと、
前記払出プレートに固定され、該プレートの回動に伴って、前記空洞部内を移動して前記収容孔内の１段目の球を、前記払出口に導入するセパレータと、を備えたことを特徴とする遊技機用の球払出装置。
【請求項２】
前記払出口から払い出された球を、前記払出プレートが回動する軸中心を中心に回転する出口に誘導する筒状の誘導経路が、前記払出プレートに固定されていることを特徴とする請求項１に記載の遊技機用の球払出装置。
【請求項３】
前記払出プレートには、払出口が２つ形成され、各払出口の近傍には、互いに逆方向から球を導入するセパレータがそれぞれ配設されていることを特徴とする請求項１又は２に記載の遊技機用の球払出装置。
【発明の詳細な説明】
【技術分野】
【０００１】
本発明は、遊技機用の球払出装置、特に遊技機の賞球や貸球を払い出すために有効な遊技機用の球払出装置に関する。
【背景技術】
【０００２】
パチンコ等の遊技機では、遊技中に“当たり”が出ると、裏側上部に取り付けられている球タンクから、球払出装置により賞球が払い出されるようになっている。
【０００３】
この賞球等の払出しを行なうための従来の球払出装置は、整列された球が１個ずつ入口へ供給されることを前提とした構造になっているため、該装置の上流に位置する上記球タンクとの間には、球を１列に揃えるための整列路が不可欠であり、そのために余分なスペースが必要となることから、裏側の構成をコンパクトにできなかった。
【０００４】
このような不都合を改善するために、複数の保持孔が形成された回転体をモータで回転させ、該保持孔の移動軌跡に対応する位置に形成された払出口から、保持されている球を払出し可能とすることにより、前記のような整列路を不要とした球払出装置が、特許文献１に開示されている。
【０００５】
【特許文献１】特開平８−１４１１７５号公報
【発明の開示】
【発明が解決しようとする課題】
【０００６】
しかしながら、前記従来の球払出装置には、前記回転体を複数の保持孔に球が保持された状態で回転させているため、払出しの際にモータ等の駆動手段に大きな負荷がかかるという問題があった。
【０００７】
本発明は、前記従来の問題点を解決するべくなされたもので、球タンクとの間に整列路を設ける必要が無い上に、球を払出す時の駆動負荷の低減を図ることができる遊技機用の球払出装置を提供することを課題とする。
【課題を解決するための手段】
【０００８】
本発明は、球を貯留する貯留部と、球を１列に収容可能な収容孔と、該収容孔を連通する空洞部とを備え、前記貯留部に保持された球収容体と、前記球収容体の下端に回動可能に支持し、前記収容孔と連通する払出口を形成した払出プレートと、前記払出プレートに固定され、該プレートの回動に伴って、前記空洞部内を移動して前記収容孔内の１段目の球を、前記払出口に導入するセパレータと、を備えたことにより、前記課題を解決したものである。
【０００９】
本発明は、又、前記払出口から払い出された球を、前記回転軸の軸中心を中心に回転する出口に誘導する筒状の誘導経路が、前記払出プレートに固定されているようにしたものである。
【００１０】
本発明は、又、前記払出プレートには、払出口が２つ形成され、各払出口の近傍には、互いに逆方向から球を導入するセパレータがそれぞれ配設されているようにしたものである。
【発明の効果】
【００１１】
本発明によれば、収容孔に収容されている球を移動させることなく、該収容孔の下端近傍に位置する払出プレートを回転させることにより、該プレートに固定されているセパレータにより球を１つずつ確実に払い出すことができるようにしたので、球タンクとの間に整列路を設ける必要が無く、しかも球を払出す時に駆動手段にかかる負荷を大幅に低減することができる。
【発明を実施するための最良の形態】
【００１２】
以下、図面を参照して、本発明の実施の形態について詳細に説明する。
【００１３】
本発明に係る第１実施形態の球払出装置１００は、遊技機の背面図である図１に示されるように、遊技機の裏側上部に取り付けられている球タンク１０２の下端部直近のＡで示す位置にある球供給口に、整列路を介することなく直接取り付けられ、該装置１００の下端部の払出口より球経路１０４に所定数の賞球を払い出す働きをするものである。
【００１４】
本実施形態の球払出装置１００は、図２に外観を示すように、前記球タンク１０２から供給される球を貯留する筒状の貯留部１と、該貯留部１の下端部に連結固定された容器状の球抜ガイド２と、該球抜ガイド２の下端を支持固定するモータブラケット３と、該ブラケット３により支持され、タイミングベルト４を介して後述する回転組を回転駆動するモータ５とを備えている。なお、図中２ａは、球抜きをする際に球を外に排出する球抜出口であり、その底面は球が排出され易いように出口側に低く傾斜されている。
【００１５】
本実施形態の球払出装置は、実際には、貯留部１と球抜ガイド２が透明な樹脂材料で形成されているため、図３には二点鎖線で示すが、その内部構造が透けて見えるようになっている。
【００１６】
この図に示されるように、貯留部１の内側には球収容体１１が固定されている。そして、この球収容体１１には、その中心部に回転軸（伝達軸）９を支持する転り軸受１３が固定されていると共に、回転軸方向に球を１列に収容可能な収容孔１１ａと、該収容孔１１ａの下部に連通し、回転軸９の軸中心を中心とする円周方向に延びる空洞部１１ｂとが形成されている。
【００１７】
又、前記貯留部１の内側には、前記球収容体１１の下端に近接し、前記転り軸受１３に支持された回転軸９を中心に回転可能で、且つ、前記収容孔１１ａに連通する賞球口（払出口）６ａが形成された払出プレート６が配置されている。
【００１８】
又、この払出プレート６には、該プレート６の回転に伴って、前記空洞部１１ｂ内を移動して前記収容孔１１ａ内の１段目の球（後述する）のみを、前記賞球口６ａに導入するセパレータ７が固定されている。
【００１９】
更に、前記貯留部１の内側には、図４に要部を抽出して示すように、前記払出プレート６の賞球口６ａから払い出された球を、前記回転軸９の軸中心Ｓを中心に回転する下部出口８ｄに誘導する筒状体で形成された賞球ガイド（誘導経路）８が、前記払出プレート６の裏側に固定されている。そして、この下部出口８ｄが球抜ガイド２の下方に延在されていることにより、前記球経路１０４に連結可能で、賞球を排出可能になっている。
【００２０】
前記セパレータ７は、賞球口６ａ側に所定幅のガイド面７ａを有し、先端部であるセパレータ部７ｂが、賞球口６ａの略半径方向中心を通る縦断面を図５に拡大して示すように、該賞球口６ａの円周方向中心６ｃを越える位置に延在されていると共に、軸方向の厚みが先端程薄い先細形状に形成されている。
【００２１】
又、セパレータ７は、セパレータ部７ｂの高さＨが、払出プレート６の面上にある球Ｂの半径ｒの２倍以上で、３倍未満に位置するように設計されている。このような位置関係にすることにより、収容孔１１ａに１列に２段重ねで収容されている球の１段目のみを確実に賞球口６ａへ払い出すことができる。又、球を円滑に賞球口６ａに導入するために、セパレータ７のガイド面７ａにはＲが付けられている。
【００２２】
又、この球払出し装置では、前記図４に示したように、払出口が２つ形成されているため、各払出口（賞球口、玉抜口）６ａ、６ｂの近傍には、互いに逆方向に球を導入するセパレータ７がそれぞれ配設されている。但し、ここでは２つのセパレータが連続した一体で形成されている。
【００２３】
これら２つの払出口６ａ、６ｂ近傍に配設された２つのセパレータ７は、実質上払出口６ａ、６ｂの略半径方向中心を通る同心円の円弧上に配設されているが、前記球収容体１１には、該セパレータ７より大きい前記空洞部１１ｂが、対応する円周方向に収容孔１１ａと連通して形成されている。そして、セパレータ７は、この空洞部１１ｂ内に位置するように配置され、これにより、球収容体１１とセパレータ７とが干渉することなく、払出プレート６が自由に回転することができると共に、回転に伴って球が確実に払出口６ａに導入されるようになっている。
【００２４】
本実施形態の球払出装置について、更に詳述すると、前記球収容体１１は、貯留部１に形成されている３箇所のスリット１ａにそれぞれ凸部１１ｃを上方から差し込むことにより嵌合させて固定されている。又、この貯留部１は、複数の球を貯留する容器であると共に、前記収容孔１１ａに収容される球を保持し、下方に導くガイドとしても機能している。なお、これら貯留部１、球収容体１１、球抜ガイド２、モータブラケット３、モータ５は、それぞれ着脱可能な構造になっている。
【００２５】
前記球収容体１１には、遊技球（φ１１ｍｍ）を縦に２個収容可能な収容孔１１ａが、円周方向に等間隔で６箇所形成されている。従って、払出プレート６が６０°回転する毎に球が１つずつ払い出させるようになっている。
【００２６】
又、前記球抜ガイド２の下端部には滑り軸受１２が、球収容体１１には前記転り軸受１３がそれぞれ圧入等により固定されている。以上の貯留部１、球抜ガイド２、収容体１１、滑り軸受１２は、いずれも回転しない“固定組”である。
【００２７】
これに対し、前記図４に示した払出プレート６を中心とした、前記セパレータ７、賞球ガイド８及び回転軸９等は、一体で回転可能な“可動組”であり、同様に着脱可能な構造になっている。そして、これら可動組が回転する軸中心Ｓは、回転軸９及び賞球ガイド８の滑り回転軸部（前記滑り軸受１２により支持される支持部）８ａの中心と一致するようになっている。
【００２８】
又、筒状の前記賞球ガイド８は、上部入口８ｃが払出プレート６の賞球口６ａと合致するように該プレート６に固定され、その内部を球が賞球口６ａから下部出口８ｄへ通り抜けることができるようになっている。
【００２９】
又、図６（Ａ）、（Ｂ）に、それぞれ平面図、正面図を、同図（Ｃ）にＺ−Ｚ画面を示すように、賞球ガイド８の支持部８ａ及び回転軸９が滑り軸受１２及び転り軸受１３によってラジアル方向に支持されており、スラスト方向には回転軸９の所定位置に係合されたＥリング９ａを球収容体１１に取り付けられている前記転り軸受１３の上端に当接させることによって支持されている。
【００３０】
更に、モータ５の回転は、前記タイミングベルト４により、賞球ガイド８の支持部８ａの下側にねじ等で固定されたギヤ部８ｂに伝達され、これにより払出プレート６等からなる前記可動組が軸中心Ｓを中心に回転運動することができるようになっている。又、同図（Ｃ）に示すように、前記回転軸９は、Ｄカットされた下端部９ｂを、賞球ガイド８に形成されているＤ形状の凹部からなる結合部８ｅに嵌入して固定され、これにより、該賞球ガイド８の回転に伴なう動力を攪拌軸１０に伝達する伝達軸としても機能するようになっている。
【００３１】
次に、本実施形態の球払出装置による動作を、図７から図１１を用いて説明する。
【００３２】
実際の使用状態においては、前記図１に示したように貯留部１の上部には球タンク１０２を直結させ、貯留部１及び収容体１１の収容孔１１ａ（６箇所）には遊技球が常に充填されている。この収容孔１１ａへの遊技球の充填は、払出プレート６を中心とする可動部の回転による払出しと同時に、前記攪拌軸１０が回転することにより容易に実現される。
【００３３】
図７は、動作の初期状態であり、図示しない制御装置が、賞球若しくは貸球の信号を受けると、モータ５を反時計方向（ＣＣＷ）に回転させる制御を開始し、タイミングベルト４を介して払出プレート６等の可動組の同方向への回転運動を開始させる。そして、図８に示すように、セパレータ７のセパレート部７ａが下側の遊技球１４と上側の遊戯球１５の接点付近に侵入し、図９に示すように、更に回転すると上側の遊技球１５はセパレート上部７ｃへ分離されると同時に、下側の遊技球１４は賞球口６ａから落下し、賞球ガイド８の内部を通り抜けて下部出口８ｄから払い出される。
【００３４】
なお、その際、この払出装置を遊技機の筐体側に組み込んだ状態を前記図１に示したように、下部出口８ｄの直下の球経路１０４に配設されている球の通過を検出する光センサ等の球検出手段（図示せず）により球通過信号が検出され、該信号を受けて指定数の賞球等の払出しが行なわれる。
【００３５】
一方、制御装置は、球抜きの信号を受けると、その初期状態を図１０に示すように、モータ５を時計方向（ＣＷ）に回転させ始め、払出プレート６等の可動組の同方向への回転運動を開始する。その結果、反対側のセパレータ７により、上記と同様の原理で上側の遊技球１５が分離されるが、図１１に示すように、下側遊技球１４は球抜口６ｂから落下し、球抜ガイド２の球抜出口２ａから払い出される。なお、球抜きされた遊技球はカウントする必要が無いため、球抜きされた球の検出手段は設置されていない。
【００３６】
球抜き動作の停止は、前記球タンク１０２等に設置された球検出手段を利用し、球タンクに球が無くなったために球が検出されなくなった状態から一定時間後に停止信号を送ることにより行なわれる。
【００３７】
以上詳述した本実施形態によれば、払出プレート６及びセパレータ７を回転させることにより球を払い出すことができるようにしたので、球収容体１１を回転させ、球を移動させて払い出す場合に比べ、モータ５に対する負荷を大幅に低減することが可能となる。
【００３８】
又、球払出装置の上流にタンクを直接設置できるため、球整列路を排除することが可能となることから、遊技機筐体の構成をシンプル（コンパクト）にすることができる。
【００３９】
又、球整列路を排除して球タンクを直結できるため、大量の球を補給することができるという利点もある。
【００４０】
更に、モータ５の回転方向で賞球・貸球と球抜きの区別を行なうことができるため、アクチュエータをモータ１つにすることができる。
【００４１】
図１２には、本発明に係る第２実施形態の球払出装置を示す、前記図３に相当する斜視図を示す。
【００４２】
本実施形態の球払出装置は、図１３（Ａ）、（Ｂ）、（Ｃ）に平面図、正面図、右側面図をそれぞれ示すように、払出プレート６の外周にギヤ（明示せず）を形成し、該ギヤにモータ５により回転されるタイミングベルト４を噛合させて、払出プレート６等の可動組を回転駆動するようにしたものである。それ以外の構成は、実質的に前記第１実施形態の場合と同じである。
【００４３】
本実施形態によれば、払出プレート６自体に直接駆動力が伝達されるようにしたので、更にモータに対する負荷を低減することができる。
【００４４】
以上、本発明について具体的に説明したが、本発明は、前記実施形態に示したものに限られるものでなく、その要旨を逸脱しない範囲で種々変更可能である。
【００４５】
例えば、前記実施形態では、上部入口８ｃを賞球口６ａに対応させて払出プレート６に固定し、該払出プレート６と賞球ガイド８とを一体で回転させるようにしたが、これに限定されず、図１４に断面のイメージを示すように、回転移動する払出口６ａに対応する位置の全周囲に連続した形状の上部入口を配設し、賞球ガイド８を別体として回転しないようにしても良い。但し、この場合は、前記実施形態と同様の方法で球抜きができないため、別な方法で行うことになる。又、貯留部１と球収容体１１とを一体に成形してもよい。
【産業上の利用可能性】
【００４６】
以上説明したとおり、本発明によれば、球タンクとの間に整列路を設ける必要が無い上に、球を払出す時に駆動手段にかかる負荷を大幅に低減することが可能となる。
【図面の簡単な説明】
【００４７】
【図１】球払出装置の設置位置を示す遊技機の背面図
【図２】本発明に係る第１実施形態の球払出装置の外観を示す斜視図
【図３】前記球払出装置の内部構成を示す斜視図
【図４】払出プレートを中心とする可動部を抽出して示す斜視図
【図５】セパレータと球の位置関係を説明するための部分断面図
【図６】前記球払出装置の構成部材の係合関係を示す平面図、正面図、断面図
【図７】前記球払出装置による賞球の払出動作の開始段階を示す斜視図
【図８】前記球払出装置による賞球の払出動作の次の段階を示す斜視図
【図９】前記球払出装置による賞球の払出動作の完了段階を示す斜視図
【図１０】前記球払出装置による球抜き動作の開始段階を示す斜視図
【図１１】前記球払出装置による球抜き動作の完了段階を示す斜視図
【図１２】本発明に係る第２実施形態の球払出装置を示す斜視図
【図１３】第２実施形態の球払出装置を示す平面図、正面図、側面図
【図１４】球払出装置の変形例の特徴を示す要部断面図
【符号の説明】
【００４８】
１…貯留部
２…球抜ガイド
３…ブラケット
４…タイミングベルト
５…モータ
６…払出プレート
６ａ…賞球口（払出口）
６ｂ…球抜口（払出口）
７…セパレータ
８…賞球ガイド（誘導経路）
９…回転軸（伝達軸）
１０…攪拌軸
１１…球収容体
１１ａ…収容孔
１１ｂ…空洞部
１２…滑り軸受
１３…転り軸受
１００…球払出装置
１０２…球タンク
１０４…球経路
Ｓ…軸中心
【図１】
2005342001.tif 000003
【図２】
2005342001.tif 000004
【図３】
2005342001.tif 000005
【図４】
2005342001.tif 000006
【図５】
2005342001.tif 000007
【図６】
2005342001.tif 000008
【図７】
2005342001.tif 000009
【図８】
2005342001.tif 000010
【図９】
2005342001.tif 000011
【図１０】
2005342001.tif 000012
【図１１】
2005342001.tif 000013
【図１２】
2005342001.tif 000014
【図１３】
2005342001.tif 000015
【図１４】
2005342001.tif 000016